(57)【要約】【課題】建物の通常の使用や、店舗等の営業を続けながら工事することができて、信頼性と経済性とに優れるとともに、支柱体をなくして、出入口をすっきりさせることのできる持ち込み式止水板装置を提供する。【解決手段】建造物の出入口１０に持ち運ばれて設置される止水板装置１であって、出入口１０の外側にパッキン７を介して当接可能な止水板２と、止水板２の下側を出入口１０のすぐ外側の通路上に係止するブラケット４と、止水板２の下側よりも上方の部位をブラケット４から離れた通路９上から突っ張るステー５とを備えている。【選択図】図１
2020090801.tif 000002
【特許請求の範囲】
【請求項１】
建造物の出入口に持ち運ばれて設置される止水板装置であって、
前記出入口にパッキンを介して当接可能な止水板と、
前記止水板の左右下側を前記出入口の左右外側の通路上に係止する係止部材と、
前記止水板の左右上側を前記出入口の左右外側の通路上の前記係止部材よりも離れた位置から突っ張る突っ張り部材と
を備えていることを特徴とする持ち運び式止水板装置。
【請求項２】
前記突っ張り部材の基部は、前記止水板に回転自在に取り付けられていることを特徴とする請求項１に記載の持ち運び式止水板装置。
【請求項３】
前記突っ張り部材は、長さを調整する機構を備えていることを特徴とする請求項１又は２記載の持ち運び式止水板装置。
【請求項４】
前記係止部材と前記突っ張り部材の先端とを前記通路上に固定する固定部材を備えていることを特徴とする請求項１〜３のいずれか１項に記載の持ち運び式止水板装置。
【請求項５】
前記固定部材は、前記通路下に埋設されたアンカーに固定可能であることを特徴とする請求項４記載の持ち運び式止水板装置。
【請求項６】
少なくとも前記止水板と、前記係止部材と、前記突っ張り部材と、前記固定部材とを規定の箱体内に収納した状態で持ち運び可能であることを特徴とする請求項１〜５のいずれか１項に記載の持ち運び式止水板装置。
【請求項７】
前記止水板は、該止水板を設置したときに、前記出入口の外側の通路上で略３０〜６０ｃｍの高さとなることを特徴とする請求項１〜６のいずれか１項に記載の持ち運び式止水板装置。
【発明の詳細な説明】
【技術分野】
【０００１】
本発明は、例えば建物、店舗、地下鉄、地下街等の建造物の出入口に持ち運んで、洪水時における建造物内への浸水を防止する持ち運び式止水板装置に関するものである。
【背景技術】
【０００２】
集中豪雨や高潮などによる洪水の発生時に、建造物の出入口からの浸水を防止する防水装置として、例えば特許文献１では、出入口の床部に形成された収納室と、該収納室に引き起こし自在に収納された防水扉と、該防水扉を収納室から引き起こして出入口を閉鎖する開閉駆動装置とを具備したゲート開閉装置において、前記防水扉が収納室から引き起された後に、前記開閉駆動装置により収納室の上面を閉鎖する開閉蓋を設けたことを特徴とする防水扉装置が開示されている。ここでは、出入口に左右一対の支柱体を立設し、前記左右の支柱体と、左右の支柱体の底部間を連通する収納室に、索体を介して防水扉及び開閉蓋をそれぞれ自動的に開閉するようになっている。
【０００３】
また、特許文献２では、本体（止水板）の下部両端に旋回中心を、上部両端に固定装置（錠等）を設けて、まず本体が垂直（０度）になるまで本体上部を押して旋回させ、固定装置で設定でき、建築物の開口部に着脱できることを特徴とした防水板が開示されている。
【発明の概要】
【発明が解決しようとする課題】
【０００４】
上記特許文献１では、左右の支柱体の底部間を連通する収納室を形成しているので、建物の通常の使用や、店舗等の営業を続けながら工事することが困難であった。
【０００５】
また、防水扉及び開閉蓋をそれぞれ自動的に開閉するので、動作が複雑で、非常時に故障して役に立たなくなるおそれがあった。また、メンテナンスが面倒で、設置コストのみならず、維持コストも高くなりがちであった。
【０００６】
さらに、出入口の両側に左右一対の支柱体を立設しており、この支柱体が通常時の人間の出入の邪魔になるから、できれば支柱体をなくして出入口をすっきりさせたいとの要請もあった。
【０００７】
特許文献２では、止水板を、入り口の左右両側の柱の下部の旋回中心で係止するとともに、上部のクレセント錠で固定しているだけで、止水板を柱に押圧する力を調整することはできない。このため、止水板の押圧力が不足して、漏水するおそれがあった。
【０００８】
本発明は、上記事情に鑑みたものであり、その目的とするところは、建物の通常の使用や、店舗等の営業を続けながら工事することができて、信頼性と経済性とに優れるとともに、支柱体をなくして、出入口をすっきりさせることのできる持ち運び式止水板装置を提供することである。
【課題を解決するための手段】
【０００９】
本発明は、建造物の出入口に持ち運ばれて設置される止水板装置であって、前記出入口にパッキンを介して当接可能な止水板と、前記止水板の左右下側を前記出入口の左右外側の通路上に係止する係止部材と、前記止水板の左右上側を前記出入口の左右外側の通路上の前記係止部材よりも離れた位置から突っ張る突っ張り部材とを備えていることを特徴とするものである。
【００１０】
本発明によれば、前記出入口にパッキンを介して当接可能な止水板と、前記止水板の左右下側を前記出入口の左右外側の通路上に係止する係止部材と、前記止水板の左右上側を前記出入口の左右外側の通路上の前記係止部材よりも離れた位置から突っ張る突っ張り部材とを備えているので、出入口の正面通路下に止水板の収納室を形成する必要がない。したがって、出入口の正面の通路を塞ぐことがなくなり、建物の通常の使用や、店舗等の営業を続けながら工事することができる。
【００１１】
また、通路側に段差がないので、非常時の避難などで段差に足をとられてけがをすることを防ぐことができ、バリアフリーを実現できる。
【００１２】
また、止水板を通路から突っ張ることにより、前記出入口に押圧する突っ張り部材を備えているので、特許文献１のような支柱体をなくして、出入口をすっきりさせることができる。
【００１３】
さらに、すべて手動とすることにより、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。その結果、信頼性と経済性とに優れるとともに、支柱体をなくして、建造物の出入口をすっきりさせることができる。
【００１４】
請求項２記載の発明のように、前記突っ張り部材の基部は、前記止水板に回転自在に取り付けられていることが好ましい。
【００１５】
請求項２記載の発明によれば、前記突っ張り部材の基部は、前記止水板に回転自在に取り付けられているので、不使用時には折りたたむことができて便利である。
【００１６】
請求項３記載の発明のように、前記突っ張り部材は、長さを調整する機構を備えていることが好ましい。
【００１７】
請求項３記載の発明によれば、前記突っ張り部材は、長さを調整する機構を備えているので、使用時には、長さを調整して、止水板にかかる押圧力を調整することができる。
【００１８】
請求項４記載の発明のように、前記係止部材と前記突っ張り部材の先端とを前記通路上に固定する固定部材を備えていることが好ましい。
【００１９】
請求項４記載の発明によれば、前記係止部材と前記突っ張り部材の先端とを前記通路上に固定する固定部材を備えているので、止水板を通路上に確実に固定することができる。
【００２０】
請求項５記載の発明のように、前記固定部材は、前記通路下に埋設されたアンカーに固定可能であることが好ましい。
【００２１】
請求項５記載の発明によれば、前記固定部材は、前記通路下に埋設されたアンカーに固定可能であるので、止水板を通路に確実に固定することができる。
【００２２】
請求項６記載の発明のように、少なくとも前記止水板と、前記係止部材と、前記突っ張り部材と、前記固定部材とを規定の箱体内に収納した状態で持ち運び可能であることが好ましい。
【００２３】
請求項６記載の発明によれば、少なくとも前記止水板と、前記係止部材と、前記突っ張り部材と、前記固定部材とを規定の箱体内に収納した状態で持ち運び可能であるので、便利である。
【００２４】
請求項７記載の発明のように、前記止水板は、該止水板を設置したときに、前記出入口の外側の通路上で略３０〜６０ｃｍの高さとなることが好ましい。
【００２５】
請求項７記載の発明によれば、前記止水板は、該止水板を設置したときに、前記出入口の外側の通路上で略３０〜６０ｃｍの高さとなるので、止水板を跨いで、建造物内に避難等することができる。
【発明の効果】
【００２６】
本発明によれば、前記出入口にパッキンを介して当接可能な止水板と、前記止水板の左右下側を前記出入口の左右外側の通路上に係止する係止部材と、前記止水板の左右上側を前記出入口の左右外側の通路上の前記係止部材よりも離れた位置から突っ張る突っ張り部材とを備えているので、出入口の正面の通路下に止水板の収納室を形成する必要がない。したがって、出入口の正面の通路を塞ぐことがなくなり、建物の通常の使用や、店舗等の営業を続けながら工事することができる。
【００２７】
また、通路側に段差がないので、非常時の避難などで段差に足をとられてけがをすることを防ぐことができ、バリアフリーを実現できる。
【００２８】
また、止水板を通路から突っ張ることにより、前記出入口に押圧する突っ張り部材を備えたので、特許文献１のような支柱体をなくして、出入口をすっきりさせることができる。
【００２９】
さらに、すべて手動とすることにより、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。その結果、信頼性と経済性とに優れるとともに、支柱体をなくして、建造物の出入口をすっきりさせることができる。
【図面の簡単な説明】
【００３０】
【図１】本発明の一実施形態に係る持ち運び式止水板装置の使用時における側断面拡大図である。
【図２】本実施形態に係る持ち運び式止水板装置の使用時における全体構成図であって、（ａ）は平面図、（ｂ）は立面図、（ｃ）は側断面図である。
【図３】本実施形態に係る持ち運び式止水板装置の収納時における全体構成図であって、（ａ）は平面図、（ｂ）は（ａ）中のＸ−Ｘ断面図、（ｃ）は（ａ）中のＹ−Ｙ断面図である。
【図４】本実施形態に係る持ち運び式止水板装置の組み立て中の状態（１）を示す説明図であって、（ａ）は平面図、（ｂ）は（ａ）中のＸ−Ｘ断面図、（ｃ）は（ａ）中のＹ−Ｙ断面図である。
【図５】本実施形態に係る持ち運び式止水板装置の組み立て中の状態（２）を示す説明図である。
【図６】本実施形態に係る持ち運び式止水板装置の組み立て中の状態（３）を示す説明図である。
【図７】本実施形態に係る持ち運び式止水板装置の組み立て中の状態（４）を示す説明図である。
【図８】本実施形態に係る持ち運び式止水板装置の組み立て中の状態（５）を示す説明図である。
【発明を実施するための形態】
【００３１】
図１は本発明の一実施形態に係る持ち運び式止水板装置１の使用時における側断面拡大図、図２は本実施形態に係る持ち運び式止水板装置１の使用時における全体構成図であって、（ａ）は平面図、（ｂ）は立面図、（ｃ）は側断面図である。また、図３は本実施形態に係る持ち運び式止水板装置１の収納時における全体構成図であって、（ａ）は平面図、（ｂ）は（ａ）中のＸ−Ｘ断面図、（ｃ）は（ａ）中のＹ−Ｙ断面図である。なお、説明の便宜上、構成要素の表示を一部省略していることがある。
【００３２】
図１，図２（ａ）（ｂ）（ｃ），図３（ａ）（ｂ）（ｃ）に示すように、本持ち運び式止水板装置１は、例えば建物、店舗、地下鉄、地下街等の建造物の出入口１０に、持ち運ばれて設置されるものであって、主に鋼板、アルミニウム板などの耐候性に優れた材料からなっている。
【００３３】
そして、出入口１０のサッシ枠にパッキン７を介して当接可能な止水板２と、出入口１０の左右外側の通路９に固定する固定部材としてのストッパ３と、止水板２の左右下側（図中では下端）を通路９に固定されたストッパ３の出入口１０側に係止する係止部材としてのブラケット４と、止水板２の左右上側（図中では中間部）をストッパ３のブラケット４よりも離れた位置から突っ張る突っ張り部材としてのステー５とを備えている。なお、ストッパ３、ブラケット４、ステー５は、出入口１０の左右に一対設けられているだけであるから、出入口１０の底部から通路にかけては通行を邪魔するものはない。
【００３４】
ここで、止水板２は、平板２ｃを複数のリブ材２ｄで補強した構造の防水扉であって、持ち運び中は長手方向で２分割された上、箱体としての段ボール箱１３内に向きを変えて重ねられた倒伏姿勢で収納可能な大きさの長方形状をなしている。他の収納物をも含む段ボール箱１３は、宅配便で運送可能な大きさと重さである。止水板２の一辺（起立姿勢での上辺）には逆Ｕ字状の取手２ａを適当な間隔で２個並設している。操作者は、取手２ａを把持して、止水板２を段ボール箱１３外に取り出し、図１中の出入口１０の周囲において、組み立てることができるようになっている。
【００３５】
起立姿勢の止水板２の高さは、それで止水できる最高水位に一致している。具体的には、建造物の出入口１０の寸法に対応させて略１．８ｍの幅としたものであって、非常時に、操作者が、起立姿勢の止水板２を跨いで建造物の出入口１０内に退避できるように、前記出入口１０の通路９の面上略３０〜６０ｃｍの高さとしている。
【００３６】
そして、非常時にも、出入口１０の正面を塞がないので、災害時の避難などで段差に足をとられて受傷することを防ぐことができる。特に手動式の場合、操作者は通路９上を通って、起立姿勢の止水板２に到達し、それを跨いで建造物の出入口１０内に避難する必要があるから、その避難ルートのバリアフリー化が要請される。
【００３７】
ストッパ３は、長方形の厚板構造であって、長手方向の一側に断面く字状の止め板３ｃを立設し、中央に丸穴３ｄを穿設するとともに、他側に取付座３ｂを設けている。丸穴３ｄは、出入口１０の左右外側の通路９下に埋設したアンカー６に対応するもので、アンカー６に螺合された保護プラグ６ａに代えて、ネジ３ａを挿通させることにより、ストッパ３をアンカー６に固定するようになっている。
【００３８】
ブラケット４は、起立姿勢での止水板２の下側にスペーサ４ｃを介して取り付けられたＬ字鋼片であって、その先端部には丸穴４ｂが穿設されている。丸穴４ｂは、ストッパ３の取付座３ｂに対応するもので、その上方からローレットネジ４ａを螺合させることにより、止水板２の下側をストッパ３に係合させるようになっている。
【００３９】
ステー５は、起立姿勢での止水板２を出入口１０側にパッキン７を介して突っ張るための棒状部材であって、倒伏状態の止水板２では、留め具５ｃで係合していた先端が、起立状態の止水板２における左右上側（中間部）の回転軸５ｂを中心としてＡ方向に回転させて、ストッパ３の止め板３ｃに係合するようになっている。
【００４０】
これにより、起立した止水板２が誤って倒伏されるのを防止できるとともに、洪水時に止水板２にかかる水圧との協業により、その止水板２が建造物の出入口１０にパッキン７を介して押し付けられることにより、確実に止水できるようになっている。このステー５の長さは、長さを調整する機構としての調整ナット５ａを回転させることで調整できるようになっている。これにより、ステー５で止水板２を出入口１０に押圧するようになっている。
【００４１】
パッキン７は、起立姿勢の止水板２の左右両側と底部とに、凸状又は平板状に貼設されたゴム板からなっており、止水板２が段ボール箱１３内に収納されているときには、段ボール箱１３の壁面を介しての太陽光の直射等によるパッキン７の劣化を防止でき、塵埃や雨水の混入を防止できる。
【００４２】
図４は本実施形態に係る持ち運び式止水板装置１の組み立て中の状態（１）を示す説明図であって、（ａ）は平面図、（ｂ）は（ａ）中のＸ−Ｘ断面図、（ｃ）は（ａ）中のＹ−Ｙ断面図である。図５〜図８は本実施形態に係る持ち運び式止水板装置の組み立て中の状態（２）〜（５）を示す説明図であって、いずれも側断面図である。以下、図４（ａ）（ｂ）（ｃ）及び図５〜図８を参照して、本持ち運び式止水板装置１の使用方法を説明する。
【００４３】
組み立て中の状態（１）：例えば一人の操作者が、持ち運んできた段ボール箱１３を開いて、止水板２を１枚ずつ手で持ち上げて段ボール箱１３外に取り出す。このとき上側の止水板２は、図４（ａ）（ｂ）（ｃ）に示すように、裏右にはブラケット４と、ステー５とが取り付けられており、表中央には工具箱１４が組み込まれている。図示していない下側の止水板２には、ブラケット４と、ステー５とが取り付けられているが、工具箱１４は組み込まれていない。
【００４４】
工具箱１４内には、２個の止水板締結用ネジ２ｂと、２枚のストッパ３と、２個のストッパ固定用ネジ３ａと、２個のローレットネジ４ａといった部品に加えて、マイナスドライバ１４ａと、コンビネーションレンチ１４ｂといった組み立てに必要な工具一式が収納されている。
【００４５】
組み立て中の状態（２）：出入口１０の左右外側の通路９には、内ネジを切ったアンカー６が埋設されており、その内ネジには保護プラグ６ａが螺合されている。通路９の塵埃などによるアンカー６の内ネジの閉塞を回避するものである。まず、図５の符号Ｃで示すように、マイナスドライバ１４ａで保護プラグ６ａを取り外す。
【００４６】
ついで、符号Ｄに示すように、通路９上にストッパ３を置く。このとき、ブラケット４に対応する座３ｂは出入口１０側に向けるとともに、ステー５の回転後の先端に対応する止め板３ｃは出入口１０と反対側に向けておくものとする。符号Ｅに示すように、ストッパ３の中央付近に形成された丸穴３ｄの上部からネジ３ａを挿通し、このネジ３ａをアンカー６に螺合させることにより、ストッパ３を通路９上に固定する。
【００４７】
段ボール箱１３から取り出した２枚の止水板２を横並びにしてから両者をボルト２ｂ，２ｂで螺合する。そして、操作者は、止水板２の一辺に設けられた取手２ａをもって、図６に示すように、その止水板２を起立姿勢とする。そして、止水板２の下端のブラケット４をストッパ３の座３ｂに重ねる。このときの基本操作は、止水板２の軽量化と相俟って、労力が少なくて済む。
【００４８】
ついで、符号Ｆに示すように、操作者は、ローレットネジ４ａをブラケット４に形成された丸穴４ｂを挿通させて、ブラケット４とストッパ３の取付座３ｂとを螺合させることにより、止水板２の下端を通路９上に固定する。
【００４９】
ついで、図７に示すように、操作者は、止水板２の左右において、留め具５ｃで係止されたステー５の先端を、留め具５ｃから解除する。これによりフリーとなったステー５の先端を、止水板２の中間に設けられた回転軸５ｂを中心にして、同図中のＡ方向に回転させることにより、ストッパ３に立設された止め板３ｃを一旦飛び越させて係止させる。
【００５０】
しかる後に、操作者は、図８において、ステー５の中間に設けられた調整ナット５ａを操作して、符号Ｂに示すように、ステー５の長さを調整することにより、止め板３ｃに係止する。これにより、起立姿勢となった止水板２を、出入口１０に、パッキン７を介在させた状態で、ステー５にて押し付けて押圧することができる。これにより、図２（ａ）（ｂ）（ｃ）に示すような完成状態となる。
【００５１】
非常時から収納時に戻る際には、概ね上記と逆の手順がとられることとなる。ここで、本発明者は、止水板装置１を試作して、その動作確認と防水性能試験とを実施し、これについても良好な結果を得ることができた。
【００５２】
以上説明したように、本実施形態に係る止水板装置１によれば、建造物の出入口１０の左右外側及び底部外側にパッキン７を介して当接可能な止水板２と、止水板２の左右下側を出入口１０の左右外側の通路９上に係止するブラケット４と、止水板２の左右上側を出入口１０の左右外側の通路９上のブラケット４よりも離れた位置から突っ張るステー５とを備えているので、出入口１０の正面通路９下に止水板２の収納室を形成する必要がない。したがって、出入口１０の正面通路９を塞ぐことがなくなり、店舗等の営業を続けながら工事することができる。
【００５３】
また、通路９側に段差がないので、非常時の避難などで段差に足をとられてけがをすることを防ぐことができ、バリアフリーを実現できる。
【００５４】
また、止水板２を通路９から突っ張ることにより、出入口１０に押圧するステー５を備えたので、特許文献１のような支柱体をなくして、出入口１０をすっきりさせることができる。
【００５５】
さらに、すべて手動とすることにより、特許文献１のような索体を介して防水扉及び開閉蓋とをそれぞれ自動的に開閉する方式に比べて、各段と動作がシンプルとなるので、故障が少なく、いざとなる非常時にも素早く対応でき、メンテナンスも随分簡略化できる。その結果、信頼性と経済性とに優れるとともに、支柱体をなくして、建造物の出入口１０をすっきりさせることができる。
【００５６】
なお、上記実施形態では、止水板２は長手方向に同一寸法で２分割しているが、必ずしも長手方向に分割する必要はなく、長手方向と直角方向に分割してもよい。また、同一寸法に分割する必要もない。さらに、人手で動かすことに支障がなければ、１個にまとめたものであってもよいし、その逆に３個以上の防止板２に分割してもよい。
【００５７】
また、上記実施形態では、それぞれストッパ３を介装させているが、止水板２の下側のブラケット４を通路９に直接固定してもよく、また止水板２の下側よりも上方の部位を突っ張るステー５の他端を通路９に直接固定してもよい。
【００５８】
また、上記実施形態では、止水板２を複数のリブ材２ｄで補強した平板２ｃなどの簡易な構造として軽量化しているが、止水板２を例えばアルミニウム製とすることによっても軽量化することができるし、強度上の問題がなければ両者の組み合わせでさらなる軽量化を図ることもできる。
【００５９】
また、上記実施形態では、操作者は一人としているが、それが仮に女性一人であっても操作できるものとしている。ただし、止水板２の寸法によっては、二人以上であってもよい。
【００６０】
また、上記実施形態では、段ボール箱１３に入れて保管している止水板装置１を、建物の出入口１０の通路付近に運んでくるとしているが、その保管場所は、建物ごとでなくてもよく、ある建物に保管しておいて、使用時に他の建物にトラックや宅配便を利用して配送してもよい。宅配便を利用する場合は、既定の段ボール箱１３が利用される。さらに、段ボール箱１３に代えて、木箱や金属製の箱などの箱体を使用してもよい。
【００６１】
また、上記実施形態では、止水板２の表面の色彩や表示については言及していないが、例えば止水板２の表面を黄色に着色し、外側から見て左側に「止水中」と大きく黒色で表示しておくことが好ましい。これにより、洪水時に避難してくる人の注意を喚起してそこに誘導することができる。
【００６２】
また、同止水板２の外側から見て、右側に「取付手続」の内容を表示しておくことが好ましい。これにより、緊急に誰でも間違いなく止水板装置１を組み立てることができる。
【００６３】
１  止水板装置
２  止水板
２ａ  止水板の取手
２ｂ  止水板の連結用ネジ
２ｃ  止水板の平板
２ｄ  止水板のリブ材
３  ストッパ（固定部材に相当する。）
３ａ  ストッパの固定用ネジ
３ｂ  取付座
３ｃ  止め板
３ｄ  丸穴
４  ブラケット（係止部材に相当する。）
４ａ  ローレットネジ
４ｂ  丸穴
４ｃ  スペーサ
５  ステー（突っ張り部材に相当する。）
５ａ  ステーの調整ナット（長さを調整する機構に相当する。）
５ｂ  ステーの回転軸
５ｃ  ステーの留め具
６  アンカー
６ａ  保護プラグ
７  パッキン
９  通路
１０  建造物の出入口
１３  段ボール箱（箱体に相当する。）
１４  工具箱
【先行技術文献】
【特許文献】
【００６４】
【特許文献１】特開２００５−９７８８５号公報
【特許文献２】特開２０１２−８７４６５号公報
【図１】
2020090801.tif 000003
【図２】
2020090801.tif 000004
【図３】
2020090801.tif 000005
【図４】
2020090801.tif 000006
【図５】
2020090801.tif 000007
【図６】
2020090801.tif 000008
【図７】
2020090801.tif 000009
【図８】
2020090801.tif 000010